【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
蒸着源に対向するように配置される蒸着面と蒸着源の反対側に配置されるガラス面を備えるマスク本体と、
前記マスク本体に配置され蒸着領域と遮蔽部を含む少なくとも１つのサブマスクと、を含み、
前記蒸着領域には、前記サブマスクの厚さ方向に前記サブマスクを貫通する第１の蒸着孔が設けられており、前記遮蔽部は、区切領域とディスプレイスクリーンの異形領域に対応するダミー領域とを含み、前記区切領域は、前記ダミー領域と前記蒸着領域との間に位置し、前記ダミー領域に前記サブマスクの厚さ方向に前記サブマスクを貫通する第２の蒸着孔が設けられており、および／または前記ダミー領域に少なくとも１つの第１の溝が設けられており、前記第１の溝の深さは前記サブマスクの厚さより小さいことを特徴とするマスク。
【請求項２】
前記第２の蒸着孔は、前記サブマスクの厚さ方向に沿って設けられて互いに連通する第１のハーフエッチング孔と第２のハーフエッチング孔とを含み、前記第１のハーフエッチング孔は、前記ガラス面に設けられており、前記ガラス面に隣接する前記マスク本体の一端から前記ガラス面から離れる他端に向かって収縮し、前記第２のハーフエッチング孔は、前記蒸着面に設けられており、前記蒸着面に隣接する前記マスク本体の一端から前記蒸着面から離れる他端に向かって収縮するとともに前記第１のハーフエッチング孔に連通することを特徴とする請求項１に記載のマスク。
【請求項３】
前記第１の溝は、前記蒸着面に設けられた第２の溝と、前記ガラス面に設けられた第３の溝とを含み、前記サブマスクの厚さ方向に沿って前記第２の溝の底壁と前記第３の溝の底壁との間に間隔があることを特徴とする請求項１に記載のマスク。
【請求項４】
前記区切領域には、前記サブマスクの厚さ方向に少なくとも１つの第４の溝が設けられており、前記第４の溝の深さは、前記サブマスクの厚さより小さく、前記サブマスクの厚さ方向に沿った前記第１のハーフエッチング孔の開口の投影は、第２のハーフエッチング孔の開口範囲に入ることを特徴とする請求項２に記載のマスク。
【請求項５】
前記第４の溝は、前記蒸着面に設けられた第５の溝と、前記ガラス面に設けられた第６の溝とを含み、前記サブマスクの厚さ方向に沿って前記第５の溝の底壁と前記第６の溝の底壁との間に間隔があることを特徴とする請求項４に記載のマスク。
【請求項６】
前記マスク本体は、平面視で互いに直交する第１の中心線と第２の中心線を有し、前記マスク本体には、２組の前記サブマスクが設けられており、各組の前記サブマスクは少なくとも１つの前記サブマスクを含み、それぞれ隣り合う２つの前記サブマスクの間に間隔があり、２組の前記サブマスクは、前記第１の中心線に対して軸対称であり、且つ、２組の前記サブマスクは、前記第２の中心線に対して軸対称であることを特徴とする請求項１に記載のマスク。
【請求項７】
前記第２の中心線の同じ側に位置する前記サブマスクの前記遮蔽部は、すべて前記第２の中心線の反対側または前記第２の中心線に対向するように配置されており、
或いは、各組の前記サブマスクは、少なくとも１つのサブ組のサブマスクを含み、それぞれ前記サブ組のサブマスクは、２つの隣り合う前記サブマスクを含み、それぞれ前記サブ組のサブマスクの２つの隣り合う前記サブマスクの前記遮蔽部は対向して配置されていることを特徴とする請求項６に記載のマスク。
【請求項８】
前記マスク本体には、一列か行列で配置された複数のサブマスクが配置されており、
前記マスク本体は、前記複数のサブマスクを２組のサブマスクに分割する仮想分割線を有し、前記２組のサブマスクは、前記仮想分割線の一側に位置する第１組のサブマスクと、前記仮想分割線の他側に位置する第２組のサブマスクとを含み、前記第１組のサブマスクと前記第２組のサブマスクは、それぞれ少なくとも１つのサブマスクを含み、
前記第１組のサブマスクと前記第２組のサブマスクの各サブマスクは、前記仮想分割線に対向する側にそれぞれ前記遮蔽部が設けられており、あるいは、前記第１組のサブマスクと前記第２組のサブマスクの各サブマスクは、前記仮想分割線の反対側にそれぞれ前記遮蔽部が設けられていることを特徴とする請求項１に記載のマスク。
【請求項９】
前記マスク本体には、一列か行列で配置された複数のサブマスクが配置されており、
同じ行にある偶数個の順に隣り合う前記サブマスクは、複数の順に隣り合うサブ組のサブマスクを形成し、それぞれ前記サブ組のサブマスクは、隣接して配置される２つのサブマスクを含み、
それぞれ前記サブ組のサブマスクの２つのサブマスクが互いに対向する側に前記遮蔽部が設けられるとともに互いに離れる側に前記遮蔽部が設けられなく、あるいは、それぞれ前記サブ組のサブマスクの２つのサブマスクの互いに対向する側に前記遮蔽部が設けられないとともに互いに離れる側には前記遮蔽部が設けられることを特徴とする請求項１に記載のマスク。
【請求項１０】
マスクフレームと、支持ストリップと、少なくとも１つの請求項１乃至９の何れか１つに記載のマスクとを含み、
前記支持ストリップは、前記マスクフレームに固定的に接続され、少なくとも１つの前記マスクは、前記支持ストリップに積層されて前記マスクフレームに固定的に接続されることを特徴とするマスクコンポーネント。
【手続補正２】
【補正対象書類名】明細書
【補正対象項目名】０００７
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
一実施例において、前記区切領域には、前記サブマスクの厚さ方向に少なくとも１つの第４の溝が設けられており、前記第４の溝の深さは、前記サブマスクの厚さより小さく、サブマスクの厚さ方向に沿った前記第１のハーフエッチング孔の開口の投影は、第２のハーフエッチング孔の開口範囲に入る。
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１９
【補正方法】変更
【補正の内容】
【００１９】
一実施例において、前記第２の中心線の同じ側に位置する前記サブマスクの前記遮蔽部は、すべて前記第２の中心線の反対側または前記第２の中心線に対向するように配置されており、或いは、各組の前記サブマスクは、少なくとも１つのサブ組のサブマスクを含み、それぞれ前記サブ組のサブマスクは、２つの隣り合う前記サブマスクを含み、それぞれ前記サブ組のサブマスクの２つの隣り合う前記サブマスクの前記遮蔽部は対向して配置されている。
【手続補正１１】
【補正対象書類名】明細書
【補正対象項目名】００２１
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２５
【補正方法】削除
【補正の内容】